(57)【要約】【課題】ユーザーの操作に応じたデモンストレーションを行うことが可能なデモンストレーションシステム等を提供すること。【解決手段】プロジェクションＴＶ１０は、デモンストレーション画像を生成するためのデモンストレーションデータと、初期設定データおよびユーザー設定データを含む設定データとを記憶する記憶部１２８と、ユーザーの操作情報を入力する操作情報入力部１１４と、前記操作情報に基づき、前記ユーザー設定データを更新する更新部１２６と、前記デモンストレーションデータと、前記設定データとに基づき、前記デモンストレーション画像を生成する画像生成部１２４とを含んで構成される。【選択図】図１
2007225909.tif 000002
【特許請求の範囲】
【請求項１】
デモンストレーション画像を生成するためのデモンストレーションデータと、初期設定データおよびユーザー設定データを含む設定データとを記憶する記憶部と、
ユーザーの操作情報を入力する操作情報入力部と、
前記操作情報に基づき、前記ユーザー設定データを更新する更新部と、
前記デモンストレーションデータと、前記設定データとに基づき、前記デモンストレーション画像を生成する画像生成部と、
を含むことを特徴とするデモンストレーションシステム。
【請求項２】
請求項１に記載のデモンストレーションシステムにおいて、
判定部を含み、
前記デモンストレーションデータは、それぞれが異なるデモンストレーション内容を示す複数のシナリオデータを含み、
前記判定部は、前記操作情報に基づき、前記ユーザーによって選択されたデモンストレーション内容を判定し、
前記画像生成部は、前記ユーザーによって選択されたデモンストレーション内容に応じたシナリオデータに基づき、前記デモンストレーション画像を生成することを特徴とするデモンストレーションシステム。
【請求項３】
請求項２に記載のデモンストレーションシステムにおいて、
前記シナリオデータは、複数の部分データを含み、
前記記憶部は、現在の前記デモンストレーションデータの再生状況を示す状況データを記憶し、
前記更新部は、前記再生状況に応じて前記部分データの識別情報を前記状況データに記憶し、
前記画像生成部は、デモンストレーションが中断後に再開された場合、前記状況データに基づき、前記デモンストレーション画像を生成することを特徴とするデモンストレーションシステム。
【請求項４】
請求項３に記載のデモンストレーションシステムにおいて、
前記更新部は、前記操作情報に基づき、前記状況データに含まれる前記部分データの前記識別情報を、当該部分データの後に再生される部分データの識別情報に更新することを特徴とするデモンストレーションシステム。
【請求項５】
請求項３、４のいずれかに記載のデモンストレーションシステムにおいて、
前記判定部は、前記デモンストレーションの開始後に前記操作情報が入力された場合に前記デモンストレーションが中断されたと判定するとともに、当該判定後に前記操作情報が一定時間以上入力されない場合に前記デモンストレーションが再開されたと判定することを特徴とするデモンストレーションシステム。
【請求項６】
請求項１〜５のいずれかに記載のデモンストレーションシステムにおいて、
前記画像生成部は、前記デモンストレーション画像として、前記操作情報が入力されていない場合は前記操作情報を入力するための操作部の操作方法を示すガイド画像を含む第１のデモンストレーション画像を生成し、前記操作情報が入力されている場合は前記ガイド画像を含まない第２のデモンストレーション画像を生成することを特徴とするデモンストレーションシステム。
【請求項７】
請求項１〜６のいずれかに記載のデモンストレーションシステムを含む表示装置。
【請求項８】
コンピュータを、
ユーザーの操作情報に基づき、初期設定データおよびユーザー設定データを含む設定データを更新する更新部と、
デモンストレーション画像を生成するためのデモンストレーションデータと、前記設定データとに基づき、前記デモンストレーション画像を生成する画像生成部として機能させることを特徴とするプログラム。
【請求項９】
請求項８に記載のプログラムを記憶した、コンピュータ読み取り可能な情報記憶媒体。
【発明の詳細な説明】
【技術分野】
【０００１】
本発明は、デモンストレーションシステム、表示装置、プログラムおよび情報記憶媒体に関する。
【背景技術】
【０００２】
例えば、家電量販店等において、ＴＶの画面に当該ＴＶの機能を説明する映像を表示することによって自動デモンストレーションが行われている。
【０００３】
しかし、この手法の場合、ユーザーは、映像に沿ってＴＶを操作することができないため、ＴＶの操作性を理解することができない。
【０００４】
このような状況において、ユーザーが、ＴＶのリモコンを操作してＴＶの操作性を確認できる場合もある。
【０００５】
しかし、この場合、自動デモンストレーションの流れが止まってしまうため、販売員が再度ＴＶに自動デモンストレーション機能を実行させる必要が生じてしまう。
【０００６】
また、ユーザーが、操作に行き詰まった場合、販売員が操作説明をすることになり、販売員によらずにデモンストレーションを行えるという自動デモンストレーションの長所が生かせない。
【０００７】
さらに、ユーザーが自由に操作する場合、家電量販店等がユーザーに対してアピールしたい機能や使用方法等をユーザーが使用せず、ＴＶ等の販売対象品に対して誤った印象を与えてしまう事態が発生してしまう。
【０００８】
例えば、特許文献１では、使用方法等の説明を自動的に提示する過程において、ユーザーの要望に合わせたわかりやすい説明を自動的に行うことを目的として、対話シナリオに記述された手順に従って説明画像とアニメーションキャラクター画像を表示し、音声認識によってユーザーの質問を入力し、対話シナリオに記述された対応手順に従って当該質問に対する説明を行う対話型自動説明装置が記載されている。
【０００９】
また、特許文献１では、具体的な実現手段は記載されていないが、対話型自動説明装置が、一区切りの商品説明が終わった時点でユーザーの質問等を受け付けること、任意の時点でユーザーの質問等を受け付けた場合に商品説明を一時中断し、質問等に対する説明後に一時中断した説明に戻ったり、説明を終了したりすることが記載されている。
【特許文献１】特開２００１−２４９９２４号公報
【発明の開示】
【発明が解決しようとする課題】
【００１０】
しかし、この対話型自動説明装置は、あらかじめ定められた対話シナリオに沿って動作することしかできない。このため、例えば、ユーザーが商品説明の中断時の３段階先まで操作を行った場合、この対話型自動説明装置は、一時中断した説明に戻って商品説明を行うことになり、ユーザーにとっては既に操作済みの不要な商品説明を受けることになってしまう。
【００１１】
また、この対話型装置では、ユーザーの操作が商品説明に反映されない。このため、例えば、ユーザーが変更を行った場合であっても、当該変更が商品説明に反映されず、ユーザーに違和感を与えてしまう。
【００１２】
本発明の目的は、ユーザーの操作に応じたデモンストレーションを行うことが可能なデモンストレーションシステム、プログラムおよび情報記憶媒体を提供することにある。
【課題を解決するための手段】
【００１３】
上記課題を解決するため、本発明に係るデモンストレーションシステムは、
デモンストレーション画像を生成するためのデモンストレーションデータと、初期設定データおよびユーザー設定データを含む設定データとを記憶する記憶部と、
ユーザーの操作情報を入力する操作情報入力部と、
前記操作情報に基づき、前記ユーザー設定データを更新する更新部と、
前記デモンストレーションデータと、前記設定データとに基づき、前記デモンストレーション画像を生成する画像生成部と、
を含むことを特徴とする。
【００１４】
また、本発明に係る表示装置は、上記デモンストレーションシステムを含むことを特徴とする。
【００１５】
また、本発明に係るプログラムは、コンピュータを、
ユーザーの操作情報に基づき、初期設定データおよびユーザー設定データを含む設定データを更新する更新部と、
デモンストレーション画像を生成するためのデモンストレーションデータと、前記設定データとに基づき、前記デモンストレーション画像を生成する画像生成部として機能させることを特徴とする。
【００１６】
また、本発明に係る情報記憶媒体は、コンピュータ読み取り可能な情報記憶媒体であって、上記プログラムを記憶したことを特徴とする。
【００１７】
本発明によれば、デモンストレーションシステム等は、ユーザーの操作情報に基づいて設定データを更新し、当該設定データに基づいてデモンストレーション画像を生成することができるため、ユーザーの操作に応じたデモンストレーションを行うことができる。
【００１８】
また、前記デモンストレーションシステム等は、判定部を含み、
前記デモンストレーションデータは、それぞれが異なるデモンストレーション内容を示す複数のシナリオデータを含み、
前記判定部は、前記操作情報に基づき、前記ユーザーによって選択されたデモンストレーション内容を判定し、
前記画像生成部は、前記ユーザーによって選択されたデモンストレーション内容に応じたシナリオデータに基づき、前記デモンストレーション画像を生成してもよい。
【００１９】
これによれば、デモンストレーションシステム等は、ユーザーの選択に応じたデモンストレーションを行うことができる。
【００２０】
また、前記シナリオデータは、複数の部分データを含み、
前記記憶部は、現在の前記デモンストレーションデータの再生状況を示す状況データを記憶し、
前記更新部は、前記再生状況に応じて前記部分データの識別情報を前記状況データに記憶し、
前記画像生成部は、デモンストレーションが中断後に再開された場合、前記状況データに基づき、前記デモンストレーション画像を生成してもよい。
【００２１】
これによれば、デモンストレーションシステム等は、デモンストレーションが中断後に再開された場合に状況データに基づいてデモンストレーション画像を生成することにより、再生状況に応じたデモンストレーションを行うことができる。
【００２２】
また、前記更新部は、前記操作情報に基づき、前記状況データに含まれる前記部分データの前記識別情報を、当該部分データの後に再生される部分データの識別情報に更新してもよい。
【００２３】
これによれば、デモンストレーションシステム等は、ユーザーの操作によって説明が不要になった部分を省略してデモンストレーションを行うことができる。
【００２４】
また、前記判定部は、前記デモンストレーションの開始後に前記操作情報が入力された場合に前記デモンストレーションが中断されたと判定するとともに、当該判定後に前記操作情報が一定時間以上入力されない場合に前記デモンストレーションが再開されたと判定してもよい。
【００２５】
これによれば、デモンストレーションシステム等は、ユーザーが操作に行き詰まった場合であっても状況に応じて自動的にデモンストレーションを再開することができ、ユーザーの理解度を深めることができる。
【００２６】
また、前記画像生成部は、前記デモンストレーション画像として、前記操作情報が入力されていない場合は前記操作情報を入力するための操作部の操作方法を示すガイド画像を含む第１のデモンストレーション画像を生成し、前記操作情報が入力されている場合は前記ガイド画像を含まない第２のデモンストレーション画像を生成してもよい。
【００２７】
これによれば、デモンストレーションシステム等は、ユーザーの操作前にガイド画像によって操作方法を理解させ、ユーザーの操作中はガイド画像を非表示にして実際の操作時と同じ画像を生成することにより、ユーザーの理解度をより深めることができる。
【発明を実施するための最良の形態】
【００２８】
以下、本発明を、デモンストレーションシステムを含むプロジェクションＴＶに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２９】
図１は、本実施例におけるプロジェクションＴＶ１０の機能ブロック図である。
【００３０】
表示装置の一種であるプロジェクションＴＶ１０は、家電量販店の店頭に置かれ、プロジェクションＴＶ１０の使い方の説明を行うためのデモンストレーション画像を表示するデモンストレーションシステムとして機能する。
【００３１】
本実施例においては、デモンストレーション画像の表示中に、ユーザーが、操作部であるリモートコントローラ２０を用いてプロジェクションＴＶ１０の設定を変更できるようにプロジェクションＴＶ１０が構成されている。
【００３２】
より具体的には、プロジェクションＴＶ１０は、インターフェース部１１０と、処理部１２０と、投写部１６０とを含んで構成されている。
【００３３】
また、インターフェース部１１０は、映像信号と音声信号を入力するための接続端子群１１２と、リモートコントローラ２０からユーザーの操作情報を入力する操作情報入力部１１４とを含んで構成されている。
【００３４】
また、処理部１２０は、種々の判定を行う判定部１２２と、デモンストレーション画像を生成する画像生成部１２４と、種々のデータを記憶する記憶部１２８と、記憶部１２８内のデータを更新する更新部１２６とを含んで構成されている。
【００３５】
ここで、記憶部１２８内のデータについて説明する。
【００３６】
図２は、本実施例における記憶部１２８内のデータを示す概略図である。
【００３７】
記憶部１２８は、初期設定データ１４２およびユーザー設定データ１４４を含む設定データ１４０、デモンストレーション画像を生成するためのデモンストレーションデータ１５０、デモンストレーションデータ１５０の再生状況等を示す状況データ１３０等を記憶している。
【００３８】
また、デモンストレーションデータ１５０は、それぞれが異なるデモンストレーション内容を示す複数のシナリオデータ１５２を含む。また、各シナリオデータ１５２は、複数の部分データ１５４を含む。
【００３９】
例えば、シナリオデータＡにはｊ個の部分データＡ１〜部分データＡｊが含まれており、シナリオデータＢにはｋ個の部分データＢ１〜部分データＢｋが含まれている。
【００４０】
なお、これらの各部を実装するためのハードウェアとしては以下のものを採用可能である。例えば、接続端子群１１２としてはビデオ入力端子等、操作情報入力部１１４としては赤外ポート等、判定部１２２、更新部１２６としてはＣＰＵ等、画像生成部１２４としては画像処理回路等、記憶部１２８としてはＨＤＤ等、投写部１６０としては液晶パネル、ドライバを記憶したＲＯＭ等を採用可能である。
【００４１】
次に、シナリオデータＡを再生する場合のデモンストレーションの流れについて説明する。
【００４２】
図３は、本実施例におけるデモンストレーションの流れを示す概略図である。
【００４３】
ユーザーは、プロジェクションＴＶ１０によって提示される複数のシナリオから１つのシナリオを選択する。ここでは、シナリオＡを選択したものとする。
【００４４】
シナリオＡは、部分データ１５４に対応したＡ１、Ａ２等の部分ごとに順番に再生される。
【００４５】
例えば、部分Ａ２の終了後にユーザーが部分Ａ３〜Ａ５に対応する操作を行い、ユーザーの操作がないまま所定時間が経過した場合、プロジェクションＴＶ１０は、中断後のＡ３からではなく、部分Ａ５の次の部分Ａ６からデモンストレーションを再開する。
【００４６】
このように、本実施例のプロジェクションＴＶ１０は、ユーザーの操作に対応したデモンストレーションを行う。
【００４７】
次に、本実施例におけるデモンストレーションの処理の流れについて詳細に説明する。
【００４８】
図４は、本実施例におけるデモンストレーションの処理の流れを示すフローチャートである。
【００４９】
判定部１２２は、操作情報入力部１１４によって入力された操作情報に基づき、シナリオＡが選択されたことを判定する。更新部１２６は、ユーザーがシナリオＡを選択したことを示すシナリオ選択情報を状況データ１３０の一部として記憶部１２８に記憶する。
【００５０】
画像生成部１２４は、状況データ１３０、設定データ１４０、デモンストレーションデータ１５０に基づき、デモンストレーション画像を生成し、投写部１６０は、当該デモンストレーション画像を表示（投写）する（ステップＳ１）。
【００５１】
より具体的には、画像生成部１２４は、状況データ１３０のシナリオ選択情報に基づいてシナリオＡが選択されたことを判定し、状況データ１３０の完了シナリオリストにシナリオＡが含まれていないことを判定し、シナリオデータＡの部分データＡ１を用いて部分Ａ１を再生するデモンストレーション画像を生成する。
【００５２】
また、画像生成部１２４は、再生部分が設定データ１４０を用いるものである場合（例えば、お気に入りチャンネルの選択等）、ユーザー設定データ１４４を参照し、対象となる設定に対してユーザーによる設定が行われていないかを判定する。そして、画像生成部１２４は、ユーザーによる設定が行われていない場合は初期設定データ１４２の設定を用い、ユーザーによる設定が行われている場合はユーザー設定データ１４４の設定を用いる。
【００５３】
デモンストレーションの開始後、判定部１２２は、操作情報入力部１１４への操作情報の入力有無に基づき、ユーザー操作があるかどうかを判定する（ステップＳ２）。
【００５４】
ユーザー操作があった場合、判定部１２２は、当該操作情報が、お気に入りチャンネルの設定等の設定を行うための操作情報であるかどうかを判定する（ステップＳ３）。
【００５５】
設定を行うための操作情報である場合、更新部１２６は、当該操作情報に基づき、ユーザー設定データ１４４を更新する（ステップＳ４）。
【００５６】
一方、設定を行うための操作情報ではない場合、ユーザー設定データ１４４の更新（ステップＳ４）は行われない。
【００５７】
そして、更新部１２６は、状況データ１３０に含まれるモードデータをユーザー操作モードに設定し、ユーザーによって操作が行われてから次に操作が行われるまでの時間を示す未操作時間のカウントを開始する（ステップＳ５）。なお、モードデータは、初期状態では通常モードに設定されている。
【００５８】
また、画像生成部１２４は、ステップＳ１において、モードデータに応じて異なるデモンストレーション画像を生成する。
【００５９】
図５は、本実施例におけるガイド画像３１０を含むデモンストレーション画像３００の一例を示す図である。また、図６は、本実施例におけるガイド画像３１０を含まないデモンストレーション画像３０２の一例を示す図である。
【００６０】
画像生成部１２４は、操作情報が入力されていない場合、すなわち、通常モードの場合は操作情報を入力するためのリモートコントローラ２０の操作方法を示すガイド画像３１０を含む第１のデモンストレーション画像３００を生成する。
【００６１】
例えば、図５に示す例では、「お気に入り」に登録する操作を示すデモンストレーション画像３００が示されている。また、ガイド画像３１０では、チャンネルを選択するためのリモートコントローラ２０における上下キーの場所、選択したチャンネルを「お気に入り」に登録するためのリモートコントローラ２０における決定キーの場所が示されている。
【００６２】
一方、操作情報が入力されている場合、すなわち、ユーザー操作モードの場合ガイド画像３１０を含まない第２のデモンストレーション画像３０２を生成する。なお、デモンストレーション画像３０２では、選択チャンネル画像３２０が表示されており、ユーザーが、上下キーを操作することによって選択チャンネル画像３２０内のチャンネル番号が変化し、決定キーを操作することによって選択チャンネル画像３２０内のチャンネル番号を示す情報がユーザー設定データ１４４に記憶される。
【００６３】
これにより、例えば、デモンストレーション画像において、「お気に入り」チャンネルが表示される場合、初期状態では初期設定データ１４２に基づいて「８」が表示されるが、ユーザーによって「１０」が「お気に入り」に登録された場合はユーザー設定データ１４４に基づいて「１０」が表示される。
【００６４】
そして、判定部１２２は、一部分（例えば、部分Ａ１、部分Ａ２等）の再生が完了したかどうかを判定する（ステップＳ８）。
【００６５】
一部分の再生が完了した場合、更新部１２６は、完了した部分を示す識別情報を記憶するように状況データ１３０を更新する（ステップＳ９）。なお、ステップＳ９において、１つのシナリオが完了した場合、更新部１２６は、状況データ１３０の完了シナリオリストに完了したシナリオの識別情報を追加する。
【００６６】
判定部１２２は、状況データ１３０の完了シナリオリストに基づき、すべてのシナリオの再生が完了したかどうかを判定することにより、デモンストレーションを終了すべきかどうかを判定する（ステップＳ１０）。
【００６７】
終了ではない場合、プロジェクションＴＶ１０は、ステップＳ１〜Ｓ１０の処理を繰り返し実行する。
【００６８】
なお、ステップＳ２の判定において、ユーザー操作がない場合、判定部１２２は、更新部１２６内のカウンタで示される未操作時間がＴ時間（例えば、３分間等）以上かどうかを判定する（ステップＳ６）。
【００６９】
未操作時間がＴ時間以上である場合、更新部１２６は、状況データ１３０のモードデータを通常モードに設定し、未操作時間を示すカウンタをクリアする（ステップＳ７）。これにより、次回のステップＳ１の処理においては、ガイド画像３１０を含むデモンストレーション画像が表示されるようになる。なお、プロジェクションＴＶ１０は、ステップＳ７の後はステップＳ８以降の処理を実行する。
【００７０】
以上のように、本実施例によれば、プロジェクションＴＶ１０は、ユーザーの操作情報に基づいてユーザー設定データ１４４を更新し、設定データ１４０に基づいてデモンストレーション画像を生成することができるため、ユーザーの操作に応じたデモンストレーションを行うことができる。
【００７１】
より具体的には、プロジェクションＴＶ１０は、ユーザーによって「お気に入り」チャンネルが「１０」に変更された場合、「お気に入り」チャンネルをデモンストレーション画像として表示する場合にユーザーの設定を反映して「１０」を表示することができる。
【００７２】
また、本実施例によれば、プロジェクションＴＶ１０は、複数のシナリオデータ１５２を設け、ユーザーにシナリオを選択させることにより、ユーザーの選択に応じたデモンストレーションを行うことができる。
【００７３】
また、ユーザーの設定を反映したり、複数のシナリオデータ１５２を設けたりすることにより、プロジェクションＴＶ１０は、ユーザーがデモンストレーションに飽きてしまう事態の発生を低減することができる。
【００７４】
さらに、本実施例によれば、プロジェクションＴＶ１０は、状況データ１３０の完了シナリオリストに基づき、完了していないシナリオを把握することができるため、ユーザーに対してアピールしたい機能等をもれなくデモンストレーションすることができる。
【００７５】
また、本実施例によれば、プロジェクションＴＶ１０は、部分データ１５４を設け、デモンストレーションが中断後に再開された場合に状況データ１３０に基づいてデモンストレーション画像を生成することにより、再生状況に応じたデモンストレーションを行うことができる。
【００７６】
また、本実施例によれば、プロジェクションＴＶ１０は、ユーザー未操作時だけでなく、ユーザー操作時においても、一部分が完了した場合に完了した部分を示す識別情報を状況データ１３０に記憶することにより、ユーザーの操作によって説明が不要になった部分を省略してデモンストレーションを行うことができる。
【００７７】
また、本実施例によれば、プロジェクションＴＶ１０は、一定時間以上の未操作状態が継続した場合にデモンストレーションを再開することにより、ユーザーが操作に行き詰まった場合であっても状況に応じて自動的にデモンストレーションを再開することができ、ユーザーの理解度を深めることができる。
【００７８】
また、本実施例によれば、プロジェクションＴＶ１０は、ユーザーの操作前にガイド画像３１０によって操作方法を理解させ、ユーザーの操作中はガイド画像３１０を非表示にして実際の操作時と同じ画像を生成することにより、ユーザーの理解度をより深めることができる。
【００７９】
なお、本発明の適用は上述した実施例に限定されず、種々の変形が可能である。
【００８０】
例えば、上述した実施例では、プロジェクションＴＶ１０は、デモンストレーション画像のみを用いたが、デモンストレーション画像に加えてデモンストレーション音声を出力してもよい。
【００８１】
また、デモンストレーションの内容は、上述したお気に入りチャンネルの設定、お気に入りチャンネルの選択に限定されず、例えば、お気に入りの削除、字幕の設定等であってもよい。
【００８２】
また、状況データ１３０にシナリオ再生完了時刻を含めてもよい。そして、更新部１２６は、最も前のシナリオ再生完了時刻から一定時間（例えば、１時間等）が経過した場合に状況データ１３０およびユーザー設定データ１４４をクリアし、初期状態に戻してもよい。
【００８３】
これによれば、例えば、デモンストレーション対象のユーザーが変わった場合に、元のユーザーの設定に代えて新たなユーザーの設定を反映したデモンストレーションを行うことができる。
【００８４】
また、部分データ１５４の構造は、図３に示すような順番に遷移するリスト構造に限定されず、条件に応じて分岐する木構造等であってもよい。より具体的には、部分データ１５４は、例えば、部分Ａ１の「メニュー」からユーザーの選択に応じて、部分Ａ２の「お気に入りの登録」、部分Ａ３の「お気に入りの選局」、部分Ａ４の「お気に入りの削除」、部分Ａ５の「字幕の設定」のいずれかに分岐する構造であってもよい。
【００８５】
また、本実施例のデモンストレーションシステムを実装可能な表示装置は、プロジェクションＴＶ１０には限定されず、液晶ＴＶ、ブラウン管ＴＶ、液晶ディスプレイ、プロジェクタ等の種々の表示装置を採用可能である。
【００８６】
また、本実施例のデモンストレーションシステムを実装可能な装置は、表示装置に限定されず、液晶パネルを有するプリンタ、デジタルカメラ、デジタルビデオカメラ等の表示機能を有する種々の装置を採用可能である。
【００８７】
また、操作情報を出力する操作部は、リモートコントローラ２０に限定されず、プロジェクションＴＶ１０に設けられたボタン等であってもよい。
【００８８】
また、プロジェクションＴＶ１０の機能を複数の装置（例えば、ケーブルＴＶのセットトップボックスとプロジェクタ等）に分散して実装してもよい。
【図面の簡単な説明】
【００８９】
【図１】本実施例におけるプロジェクションＴＶの機能ブロック図である。
【図２】本実施例における記憶部内のデータを示す概略図である。
【図３】本実施例におけるデモンストレーションの流れを示す概略図である。
【図４】本実施例におけるデモンストレーションの処理の流れを示すフローチャートである。
【図５】本実施例におけるガイド画像を含むデモンストレーション画像の一例を示す図である。
【図６】本実施例におけるガイド画像を含まないデモンストレーション画像の一例を示す図である。
【符号の説明】
【００９０】
１０  プロジェクションＴＶ（表示装置、デモンストレーションシステム）、２０  リモートコントローラ（操作部）、１１４  操作情報入力部、１２２  判定部、１２４  画像生成部、１２６  更新部、１２８  記憶部、１３０  状況データ、１４０  設定データ、１４２  初期設定データ、１４４  ユーザー設定データ、１５０  デモンストレーションデータ、１５２  シナリオデータ、１５４  部分データ、２００  情報記憶媒体、３００、３０２  デモンストレーション画像、３１０  ガイド画像
【図１】
2007225909.tif 000003
【図２】
2007225909.tif 000004
【図３】
2007225909.tif 000005
【図４】
2007225909.tif 000006
【図５】
2007225909.tif 000007
【図６】
2007225909.tif 000008